(57)【要約】【課題】スピンナーの締め付けの程度を目視で把握しやすくすることで、より確実な羽根の取り付け・固定ができる換気扇を得ること。【解決手段】換気扇は、ネジが切られたネジ切り部１７ａが先端に形成されたシャフト１７を有して、枠状のフレームの内側に設けられるファンモータ２と、シャフトに挿入される貫通穴３ａが正面視における中心部分に形成され、貫通穴に挿入されたシャフトのネジ切り部を前面側に突出させる羽根３と、羽根の前面側に突出したネジ切り部に螺合されるナット部５ａを有して羽根をシャフトに固定するスピンナー５と、を備え、スピンナーは、シャフトの先端をスピンナーの前面側から視認可能とする略透明な窓部４をナット部の反対側に有する。【選択図】図３
2012242071.tif 000002
【特許請求の範囲】
【請求項１】
ネジが切られたネジ切り部が先端に形成されたシャフトを有して、枠状のフレームの内側に設けられるファンモータと、
前記シャフトに挿入される貫通穴が正面視における中心部分に形成され、前記貫通穴に挿入されたシャフトの前記ネジ切り部を前面側に突出させる羽根と、
前記羽根の前面側に突出した前記ネジ切り部に螺合されるナット部を有して前記羽根を前記シャフトに固定するスピンナーと、を備え、
前記スピンナーは、前記シャフトの先端を前記スピンナーの前面側から視認可能とする略透明な窓部を前記ナット部の反対側に有することを特徴とする換気扇。
【請求項２】
前記スピンナーには、前記ナット部を前記ネジ切り部に螺合させることで前記羽根を押さえる押え部が形成され、
前記羽根には、前記ナット部を前記ネジ切り部に螺合させることで前記押え部に当接する被押え部が形成され、
前記シャフトの先端と前記窓部とが接触した際に、前記押え部と前記被押え部とが当接することを特徴とする請求項１に記載の換気扇。
【発明の詳細な説明】
【技術分野】
【０００１】
本発明は、換気扇に関し、特に羽根の取付部分の構造に関する。
【背景技術】
【０００２】
従来、ファンモータのシャフトに羽根を取り付けるとともに、羽根を回転させることで空気を流動させて換気を行う換気扇が知られている（例えば特許文献１を参照）。ファンモータのシャフトに羽根を取り付ける構成として、羽根の中心に形成された貫通穴にファンモータのシャフトを挿入させるものがある。
【０００３】
この構成では、貫通穴を貫通して羽根の前面から突出したシャフトの先端にスピンナーと呼ばれる固定部材が取り付けられる。シャフトの先端にはネジが切られており、スピンナーをシャフトの先端に螺合させることで、羽根がシャフトに固定される。
【先行技術文献】
【特許文献】
【０００４】
【特許文献１】特開２００９−２５０１１４号公報
【発明の概要】
【発明が解決しようとする課題】
【０００５】
しかしながら、上記従来の構成では、施工時や清掃時など、羽根を外して、再度羽根を取付けるときに、スピンナーをどこまで締め付けてよいか分かりにくいという問題があった。そのため、スピンナーの締め付けが不足して羽根の取り付けが緩くなってしまう場合があり、羽根振れや羽根落下が発生する場合があるという問題があった。
【０００６】
本発明は、上記に鑑みてなされたものであって、スピンナーの締め付けの程度を目視で把握しやすくすることで、より確実な羽根の取り付け・固定ができる換気扇を得ることを目的とする。
【課題を解決するための手段】
【０００７】
上述した課題を解決し、目的を達成するために、本発明は、ネジが切られたネジ切り部が先端に形成されたシャフトを有して、枠状のフレームの内側に設けられるファンモータと、シャフトに挿入される貫通穴が正面視における中心部分に形成され、貫通穴に挿入されたシャフトのネジ切り部を前面側に突出させる羽根と、羽根の前面側に突出したネジ切り部に螺合されるナット部を有して羽根をシャフトに固定するスピンナーと、を備え、スピンナーは、シャフトの先端をスピンナーの前面側から視認可能とする略透明な窓部をナット部の反対側に有することを特徴とする。
【発明の効果】
【０００８】
本発明によれば、シャフトの先端を前面側から視認できる略透明な窓部がスピンナーに設けられるので、スピンナーの締め付けの程度を目視で把握しやすくなり、より確実な羽根の取り付け・固定ができるという効果を奏する。
【図面の簡単な説明】
【０００９】
【図１】図１は、本発明の実施の形態にかかる換気扇の取付状態における分解斜視図である。
【図２】図２は、換気扇の取付状態における断面図である。
【図３】図３は、羽根の取付構造を示す分解側面構成図である。
【図４】図４は、羽根の取付構造を示す側面図である。
【図５】図５は、図４に示す羽根の取付構造の正面図である。
【発明を実施するための形態】
【００１０】
以下に、本発明の実施の形態にかかる換気扇を図面に基づいて詳細に説明する。なお、この実施の形態によりこの発明が限定されるものではない。
【００１１】
実施の形態１．
図１は、本発明の実施の形態にかかる換気扇の取付状態における分解斜視図である。図２は、換気扇の取付状態における断面図である。図３は、羽根の取付構造を示す分解側面構成図である。図４は、羽根の取付構造を示す側面図である。図５は、図４に示す羽根の取付構造の正面図である。なお、図３、図４では、スピンナー５および羽根３を断面で示している。
【００１２】
図１，図２に示すように、換気扇５０は、フレーム１、ファンモータ２、羽根３、スピンナー５、オリフィス９を備える。換気扇５０は、建物の壁面（壁部１４）などに取り付けられて、室内の換気を行う。
【００１３】
フレーム１は、枠状の形状を呈する。フレーム１の室外側（空気の流出側）には、室外側開口を開閉する複数のシャッター６が設けられる。シャッター６は、シャッター連結板７を介して、換気扇５０の動作をオンオフするスイッチ８と連動するように設けられる。
【００１４】
ファンモータ２は、フレーム１の内側に設けられる。ファンモータ２には、換気扇５０の動作時に回転する回転軸（シャフト１７）が設けられる。ファンモータ２のシャフト１７の先端部には、ネジが切られたネジ切り部１７ａが形成されている。
【００１５】
羽根３は、ファンモータ２のシャフト１７に着脱自在に取り付け・固定される。図３に示すように、羽根３には正面視における中心部分に前後に貫通する貫通穴３ａが形成されている。羽根３に形成された貫通穴３ａにシャフト１７を挿入し、羽根３の前面側から突出したシャフト１７にスピンナー５を螺合することで、羽根３はシャフト１７に対して着脱自在に取り付け・固定される。
【００１６】
スピンナー５には背面視における中心部分に穴が形成されている。この穴の内側面にはネジが切られており、シャフト１７のネジ切り部１７ａに螺合されるナット部５ａとして機能する。ナット部５ａは、例えばインサート成形によって形成される。また、この穴は、スピンナー５の前面側まで貫通している。
【００１７】
図４に示すように、羽根３の貫通穴３ａには、ファンモータ２のシャフト１７が挿入される。羽根３の貫通穴３ａにシャフト１７が挿入されると、シャフト１７の先端、すなわちネジ切り部１７ａが羽根３の前面側から突出する。そして、羽根３の前面側から突出したネジ切り部１７ａに、スピンナー５のナット部５ａを螺合させて、羽根３の取り付け・固定がなされる。
【００１８】
スピンナー５のナット部５ａを螺合させることで、スピンナー５に形成された平面部（押え部）５ｃが、羽根３のボス部（被押え部）３ｂに当接して、羽根３がシャフト１７に固定される。
【００１９】
すなわち、スピンナー５をシャフト１７に螺合させる際に、スピンナー５の平面部５ｃと羽根３のボス部３ｂが当接する位置までスピンナー５を締め付けることで、ファンモータ２のシャフト１７に羽根３を完全に固定することができる。
【００２０】
ネジ切り部１７ａおよびナット部５ａには、羽根３の回転方向と逆回転方向にスピンナー５を締め付けることで羽根３を固定できるようにネジが切ってある。これにより、羽根３の回転によりスピンナー５が緩んで羽根３にガタツキや脱落が発生するのを抑えることができる。
【００２１】
スピンナー５の直径を、羽根３の中心部の直径と略同じ大きさとすることで、手でつかみやすい形状となっている。また、スピンナー５は、スピンナー５の中心に設けられたナット部５ａに対して、シャフト１７が挿入される側の反対側（前面側）から、接着または圧入して取り付けられる窓部４を備える。
【００２２】
窓部４は、略透明な部材で構成されており、窓部４を通して反対側を視認可能となっている。そのため、窓部４を取り付けてもナット部５ａの内部を、スピンナー５の前面側から視認可能となっている。
【００２３】
ここで、スピンナー５に設けた透明な窓部４の凸部４ａとシャフト１７の先端が接触するとき、スピンナー５の平面部５ｃと羽根３のボス部３ｂが接触する位置関係となるように、シャフト１７の長さおよび凸部４ａの大きさが調整されている。
【００２４】
図４、図５に示すように、スピンナー５に設けた透明な窓部４から凸部４ａとシャフト１７の先端とを目視で確認しながら、凸部４ａとシャフト１７の先端とが接触するまでスピンナー５を締め付ければ、より確実に羽根３をシャフト１７に取り付け・固定することができる。
【００２５】
また、羽根３をシャフトに取り付け・固定した後も、窓部４から凸部４ａとシャフト１７の先端とを目視で確認することができるので、スピンナー５に発生した緩みを目視で容易に把握することができる。そのため、羽根３のガタツキや脱落を未然に防ぎやすくなる。
【００２６】
また、スピンナー５の直径を羽根３の中心部の直径と同じ大きさとすることで、羽根３を取り付け・固定したときに、スピンナー５と羽根３の中心部とが一体の形状となり、風の流れが妨げられるのを抑制することができる。
【００２７】
図５に示すように、羽根３に取り付けられたスピンナー５の中心に設けられた透明な材質で形成された窓部４から、凸部４ａとシャフト１７の先端が接触していることを目視することで、羽根３がシャフト１７に確実に取り付けられていることを確認することができる。
【００２８】
オリフィス９は、フレーム１の室内側（空気の流入側）に対して着脱自在に設けられる。オリフィス９は、フレーム１と羽根３との隙間を塞いで、室内の空気を羽根３に導く風洞として機能する。
【産業上の利用可能性】
【００２９】
以上のように、本発明にかかる換気扇は、羽根を備える換気扇に有用であり、特に、シャフトに挿入した羽根をスピンナーで固定する換気扇に適している。
【符号の説明】
【００３０】
１  フレーム
２  ファンモータ
３  羽根
３ａ  貫通穴
３ｂ  ボス部（被押え部）
４  窓部
４ａ  凸部
５  スピンナー
５ａ  ナット部
５ｃ  平面部（押え部）
６  シャッター
７  シャッター連結板
８  スイッチ
９  オリフィス
１４  壁部
１７  シャフト
１７ａ  ネジ切り部
５０  換気扇
【図１】
2012242071.tif 000003
【図２】
2012242071.tif 000004
【図３】
2012242071.tif 000005
【図４】
2012242071.tif 000006
【図５】
2012242071.tif 000007